(57)【要約】 【課題】読影医が特定の検査目的の読影を行って所見レポートを生成する場合に、当該検査目的外の疾患の見落としを防ぐ。【解決手段】読影医による読影目的に関わらず、ＰＡＣＳ３０は、医用画像データに対して自動計測処理を行い、数値レポート情報を生成する。所見レポート生成装置４０は、ＰＡＣＳ３０から数値レポート情報を受信する。所見レポート生成装置４０は、受信した数値レポート情報に対して所見レポート自動生成処理を行い、所見レポート情報を生成する。そして、所見レポート生成装置４０は、配信サーバ５０に所見レポート情報を送信する。【選択図】図１
2009066060.tif 000002
【特許請求の範囲】
【請求項１】
それぞれ通信手段を有する検査数値レポート生成装置と所見レポート生成装置とが通信ネットワークを介して互いに通信可能に接続されており、
前記検査数値レポート生成装置は、
患者の検査部位の撮影画像のうち検査目的外の疾患に関する検査数値を自動計測しその検査数値レポートを生成して、前記撮影画像と前記検査数値レポートとを互いに関連付け、且つそれぞれ独立したデータで前記通信手段に送信させる第１制御手段を備え、
前記所見レポート生成装置は、
前記通信手段を介して受信した検査数値レポートに対する所見レポートを自動生成して、前記検査数値レポートと前記所見レポートとを互いに関連付け、且つ前記所見レポートを前記検査数値レポートと独立したデータで前記通信手段に送信させる第２制御手段、
を備える医用画像システム。
【請求項２】
前記第２制御手段は、前記所見レポートと前記通信手段を介して受信した撮影画像とを表示画面上に表示させて、操作部からの操作信号が入力された場合、当該操作信号に基づき、前記表示画面上に表示されている所見レポートを更新する、
請求項１に記載の医用画像システム。
【請求項３】
前記第１制御手段は、前記撮影画像と前記検査数値レポートとを、各々に付帯する付帯情報に基づいて関連付ける、
請求項１又は２に記載の医用画像システム。
【請求項４】
前記第２制御手段は、前記検査数値レポートと前記所見レポートとを、各々に付帯する付帯情報に基づいて関連付ける、
請求項１〜３の何れか一項に記載の医用画像システム。
【請求項５】
前記第２制御手段は、前記検査数値が予め定められた条件を満たす場合にのみ、所見レポートを自動生成する、
請求項１〜４の何れか一項に記載の医用画像システム。
【請求項６】
外部機器との間でデータの送受信を行う通信手段と、
患者の検査部位の撮影画像のうち検査目的外の疾患に関する検査数値レポートに対する所見レポートを自動生成して、
前記検査数値レポートと前記所見レポートとを互いに関連付け、且つ前記所見レポートを前記検査数値レポートと独立したデータで前記通信手段に送信させる制御手段と、
を備える所見レポート生成装置。
【請求項７】
前記制御手段は、前記所見レポートと前記撮影画像とを表示画面上に表示させて、操作部からの操作信号が入力された場合、当該操作信号に基づき、前記表示画面上に表示されている所見レポートを更新する、
請求項６に記載の所見レポート生成装置。
【請求項８】
前記制御手段は、前記検査数値レポートと前記所見レポートとを、各々に付帯する付帯情報に基づいて関連付ける、
請求項６又は７に記載の所見レポート生成装置。
【請求項９】
前記制御手段は、前記検査数値が予め定められた条件を満たす場合にのみ、所見レポートを自動生成する、
請求項６〜８の何れか一項に記載の所見レポート生成装置。
【請求項１０】
患者の検査部位の撮影画像のうち検査目的外の疾患に関する検査数値レポートに対する所見レポートを自動生成して、
前記検査数値レポートと前記所見レポートとを互いに関連付け、且つ前記所見レポートを前記検査数値レポートと独立したデータで外部機器に送信する、
所見レポート生成方法。
【請求項１１】
コンピュータを、
外部機器との間でデータの送受信を行う通信手段、
患者の検査部位の撮影画像のうち検査目的外の疾患に関する検査数値レポートに対する所見レポートを自動生成して、
前記検査数値レポートと前記所見レポートとを互いに関連付け、且つ前記所見レポートを前記検査数値レポートと独立したデータで前記通信手段に送信させる制御手段、
として機能させるためのプログラム。
【発明の詳細な説明】
【技術分野】
【０００１】
本発明は、医用画像システム、所見レポート生成装置、所見レポート生成方法及びプログラムに関する。
【背景技術】
【０００２】
医療の分野において、患者を撮影した撮影画像（医用画像）はデジタル化して扱われている。具体的には、ＣＲ（Computed Radiography）装置やＣＴ（Computed Tomography）装置、ＭＲ（Magnetic Resonance）装置等の医用撮影装置（以下、「モダリティ」と称す）を用いて、デジタル画像データを生成する。
【０００３】
このデジタル画像データは、ＤＩＣＯＭ（Digital Imaging and Communication in Medicine）規格に準拠したデータ形式で、医用画像の画像データと当該画像データに関する付帯情報とから成る。以下、このデジタル画像データを医用画像データと称す。
【０００４】
そして生成された医用画像データは、ＰＡＣＳ（Picture Archiving and Communication System for medical application）と呼ばれる画像サーバ（医用画像管理装置）で記憶管理されている。
【０００５】
また、近年、医用画像のデジタル化に伴い、医用画像の心胸比の計測や脊柱の側弯度の計測等のような、幾何学的な画像計測が自動化されて行われている。
【０００６】
更に、幾何学的な画像計測等の結果に対する所見を示すレポート（以下、所見レポートと称す。）が読影医により作成されている。
【０００７】
また、過去の読影レポート（所見レポート）と、画像に含まれる異常候補陰影を抽出するための医用画像診断支援装置からの情報と、病理検査結果を踏まえた確定診断情報とを検索し、読影医による所見レポートの作成を支援するシステムが提案されている（特許文献１参照）。
【特許文献１】特開２００６−１５５００２号公報
【発明の開示】
【発明が解決しようとする課題】
【０００８】
ところで、医用画像のデジタル化に伴い、読影医が読影を行う１日当たりの医用画像の数は増大の一途を辿っている。そのため、読影医が読影対象となる画像の特定領域（例えば、胸部や腹部）に対して、特定の検査目的の読影（例えば、心不全を予防するための心胸比の読影）を行って所見レポートを作成する場合、関心のない領域に対しては目が届きにくく、重篤な疾患を見落としてしまう恐れがある。
【０００９】
本発明は、上述したような課題に鑑みて為されたものであり、その目的とするところは、読影医が特定の検査目的の読影を行って所見レポートを作成する場合に、当該検査目的外の疾患の見落としを防ぎ得る医用画像システム、所見レポート生成装置、所見レポート生成方法及びプログラムを提供することである。
【課題を解決するための手段】
【００１０】
上記の課題を解決するために、請求項１に記載の医用画像システムは、
それぞれ通信手段を有する検査数値レポート生成装置と所見レポート生成装置とが通信ネットワークを介して互いに通信可能に接続されており、
前記検査数値レポート生成装置は、
患者の検査部位の撮影画像のうち検査目的外の疾患に関する検査数値を自動計測しその検査数値レポートを生成して、前記撮影画像と前記検査数値レポートとを互いに関連付け、且つそれぞれ独立したデータで前記通信手段に送信させる第１制御手段を備え、
前記所見レポート生成装置は、
前記通信手段を介して受信した検査数値レポートに対する所見レポートを自動生成して、前記検査数値レポートと前記所見レポートとを互いに関連付け、且つ前記所見レポートを前記検査数値レポートと独立したデータで前記通信手段に送信させる第２制御手段、
を備える。
【００１１】
請求項２に記載の発明は、請求項１に記載の発明において、
前記第２制御手段は、前記所見レポートと前記通信手段を介して受信した撮影画像とを表示画面上に表示させて、操作部からの操作信号が入力された場合、当該操作信号に基づき、前記表示画面上に表示されている所見レポートを更新する。
【００１２】
請求項３に記載の発明は、請求項１又は２に記載の発明において、
前記第１制御手段は、前記撮影画像と前記検査数値レポートとを、各々に付帯する付帯情報に基づいて関連付ける。
【００１３】
請求項４に記載の発明は、請求項１〜３の何れか一項に記載の発明において、
前記第２制御手段は、前記検査数値レポートと前記所見レポートとを、各々に付帯する付帯情報に基づいて関連付ける。
【００１４】
請求項５に記載の発明は、請求項１〜４の何れか一項に記載の発明において、
前記第２制御手段は、前記検査数値が予め定められた条件を満たす場合にのみ、所見レポートを自動生成する。
【００１５】
請求項６に記載の所見レポート生成装置は、
外部機器との間でデータの送受信を行う通信手段と、
患者の検査部位の撮影画像のうち検査目的外の疾患に関する検査数値レポートに対する所見レポートを自動生成して、
前記検査数値レポートと前記所見レポートとを互いに関連付け、且つ前記所見レポートを前記検査数値レポートと独立したデータで前記通信手段に送信させる制御手段と、
を備える。
【００１６】
請求項７に記載の発明は、請求項６に記載の発明において、
前記制御手段は、前記所見レポートと前記撮影画像とを表示画面上に表示させて、操作部からの操作信号が入力された場合、当該操作信号に基づき、前記表示画面上に表示されている所見レポートを更新する。
【００１７】
請求項８に記載の発明は、請求項６又は７に記載の発明において、
前記制御手段は、前記検査数値レポートと前記所見レポートとを、各々に付帯する付帯情報に基づいて関連付ける。
【００１８】
請求項９に記載の発明は、請求項６〜８の何れか一項に記載の発明において、
前記制御手段は、前記検査数値が予め定められた条件を満たす場合にのみ、所見レポートを自動生成する。
【００１９】
請求項１０に記載の所見レポート生成方法は、
患者の検査部位の撮影画像のうち検査目的外の疾患に関する検査数値レポートに対する所見レポートを自動生成して、
前記検査数値レポートと前記所見レポートとを互いに関連付け、且つ前記所見レポートを前記検査数値レポートと独立したデータで外部機器に送信する。
【００２０】
請求項１１に記載のプログラムは、
コンピュータを、
外部機器との間でデータの送受信を行う通信手段、
患者の検査部位の撮影画像のうち検査目的外の疾患に関する検査数値レポートに対する所見レポートを自動生成して、
前記検査数値レポートと前記所見レポートとを互いに関連付け、且つ前記所見レポートを前記検査数値レポートと独立したデータで前記通信手段に送信させる制御手段、
として機能させる。
【発明の効果】
【００２１】
本発明によれば、患者の検査部位の撮影画像のうち、検査目的外の疾患に関する検査数値レポートに対する所見レポートを自動生成し出力することができるので、検査目的外の疾患の発見又は見落としの抑制に資する。
【発明を実施するための最良の形態】
【００２２】
以下、図面を参照して、本発明に係る医用画像システムの一実施形態について説明する。
【００２３】
[医用画像システムのシステム構成]
図１に、医用画像システム１００のシステム構成を示す。図１に示すように、医用画像システム１００は、ＲＩＳ（Radiological Information System：放射線情報システム）１０と、モダリティ２０と、ＰＡＣＳ３０と、所見レポート生成装置４０と、配信サーバ５０とから構成されており、各装置は通信ネットワークＮを介して、データ通信可能に接続されている。
【００２４】
ＲＩＳ１０は、制御部や記憶部、操作部、表示部、通信部等を有するコンピュータにより構成され、放射線科部門内における診療予約、診断結果のレポート、実績管理、材料在庫管理等の情報管理を行う。ＲＩＳ１０は、図示しない電子カルテ端末等により入力された検査オーダの登録を受け付ける。そして、その登録された検査オーダによって、検査オーダ情報を生成し、モダリティ２０に送信する。
【００２５】
検査オーダ情報とは撮影や診断の検査オーダの内容を示すデータであり、患者情報、検査情報及びシリーズ情報を含む。患者情報は、撮影を行う患者の受付番号や氏名、患者ＩＤ、性別等の患者毎に設定されたデータである。検査情報は、医師がオーダした検査を識別する検査ＩＤ、手技、検査部位、撮影方向及び体位といった検査条件を示すデータである。シリーズ情報は、一つの検査の中で生成されるモダリティ２０毎の一連の医用画像の単位（シリーズ）を示すシリーズＵＩＤやモダリティ２０の種別（モダリティ種別）を含むデータである。
【００２６】
モダリティ２０は、患者を撮影し、撮影画像（医用画像）の画像データを生成する医用撮影装置である。モダリティ２０としては、ＣＲ装置、ＣＴ装置、ＭＲＩ装置、内視鏡装置、超音波診断装置等、様々な種類の医用画像を撮影するモダリティが適用可能である。
【００２７】
モダリティ２０は、ＲＩＳ１０から受信した検査オーダ情報に基づいて、生成した医用画像の画像データに関する各種情報（患者情報、検査情報及びシリーズ情報等）を有する付帯情報を生成する。そして、当該画像データに当該付帯情報を付加し、ＤＩＣＯＭ規格に則った医用画像データを生成する。
【００２８】
図２に、医用画像１枚の画像データに対応する医用画像データ（以下、医用画像データオブジェクトと称す。）のデータ構成を示す。医用画像データオブジェクトは、前述の通り、医用画像１枚の画像データと当該画像データに関する付帯情報とから成る。そして、付帯情報は、患者情報、検査情報及びシリーズ情報等を含む。
【００２９】
モダリティ２０は、医用画像データをＰＡＣＳ３０に送信する。
【００３０】
ＰＡＣＳ３０は、医用画像データ、数値レポート情報を保存し、管理する医用画像管理装置である。ＰＡＣＳ３０は、所見レポート生成装置４０から送信される読影用データ取得要求に応じて、該当する医用画像データ、数値レポート情報を当該所見レポート生成装置４０に送信する。また、ＰＡＣＳ３０は、所見レポート生成装置４０から送信される過去数値レポート取得要求に応じて、該当する数値レポート情報を当該所見レポート生成装置４０に送信する。
【００３１】
ＰＡＣＳ３０は、モダリティ２０から受信した医用画像データに含まれる画像データに対して自動計測処理を行い、医用画像に関する検査数値レポートの情報である数値レポート実データを生成する。そして、医用画像データに含まれる付帯情報等に基づいて、生成した数値レポート実データに関する各種情報（患者情報、検査情報及びシリーズ情報等）を有する付帯情報を生成する。そして、当該数値レポート実データに生成した付帯情報を付加し、ＤＩＣＯＭ規格に則った数値レポート情報を生成する。また、ＰＡＣＳ３０は、医用画像データと数値レポート情報とを各々の付帯情報を用いて関連付ける。そして、当該数値レポートを保存する。尚、自動計測処理、数値レポート実データについての詳細は後述する。
【００３２】
図３に、１回の自動計測処理における検査数値レポートの情報（数値レポート実データ）に対応する数値レポート情報（以下、数値レポート情報オブジェクトと称す。）のデータ構成を示す。数値レポート情報オブジェクトは、前述の通り、１回の自動計測処理における検査数値レポートの情報（数値レポート実データ）と当該数値レポート実データに関する付帯情報とから成る。そして、付帯情報は、患者情報、検査情報及びシリーズ情報等を含む。
【００３３】
所見レポート生成装置４０は、受信した医用画像データに基づいた医用画像等の表示や、受信した数値レポート情報に基づいた所見レポート情報の生成等を行う装置である。
【００３４】
所見レポート生成装置４０は、読影用データ取得要求をＰＡＣＳ３０に送信し、ＰＡＣＳ３０に保存されている医用画像データ、数値レポート情報を取得する。また、所見レポート生成装置４０は、過去数値レポート取得要求をＰＡＣＳ３０に送信し、ＰＡＣＳ３０に保存されている数値レポート情報を取得する。
【００３５】
所見レポート生成装置４０は、ＰＡＣＳ３０から受信した数値レポート情報に含まれる数値レポート実データに対して所見レポート自動生成処理を行い、検査数値レポートに対する所見レポートの情報である所見レポート実データを生成する。そして、数値レポート情報に含まれる付帯情報等に基づいて、生成した所見レポート実データに関する各種情報（患者情報、検査情報及びシリーズ情報等）を有する付帯情報を生成する。そして、当該所見レポート実データに生成した付帯情報を付加し、ＤＩＣＯＭ規格に則った所見レポート情報を生成する。また、所見レポート生成装置４０は、数値レポート情報と所見レポート情報とを各々の付帯情報を用いて関連付ける。そして、当該所見レポート情報を配信サーバ５０に送信する。尚、当該所見レポートは、所見レポート生成装置４０において、ユーザ操作等により更新される場合がある。
【００３６】
また、所見レポート生成装置４０は、ＰＡＣＳ３０から受信した医用画像データ、数値レポート情報を配信サーバ５０に送信する。
【００３７】
図４に、１回の所見レポート自動生成処理において生成される所見レポートの情報（所見レポート実データ）に対応する所見レポート情報（以下、所見レポート情報オブジェクトと称す。）のデータ構成を示す。所見レポート情報オブジェクトは、前述の通り、１回の所見レポート自動生成処理において生成される所見レポートの情報（所見レポート実データ）と当該所見レポート実データに関する付帯情報とから成る。そして、付帯情報は、患者情報、検査情報及びシリーズ情報等を含む。
【００３８】
読影医は、所見レポート生成装置４０に表示された医用画像を参照して、所見レポート自動生成処理により生成された所見レポートに所見を追記又は変更する（所見レポートを更新する）。
【００３９】
配信サーバ５０は、医用画像、当該医用画像に関する所見レポート等を図示しない電子カルテ端末に配信する医用画像配信装置である。配信サーバ５０は、所見レポート生成装置４０から医用画像データ、数値レポート情報、所見レポート情報を受信して保存する。
【００４０】
配信サーバ５０は、電子カルテ端末からの取得要求に応じて、医用画像データに基づく医用画像、所見レポート情報に基づく所見レポートを電子カルテ端末に送信する。
【００４１】
[モダリティの機能的構成]
図５に、モダリティ２０の機能構成を示す。図５に示すように、モダリティ２０は、制御部２１、操作部２２、表示部２３、通信部２４、ＲＯＭ（Read Only Memory）２５、記憶部２６、撮影部２７等を備えて構成され、各部はバス２８により接続されている。
【００４２】
制御部２１は、ＣＰＵ（Central Processing Unit）、ＲＡＭ（Random Access Memory）等から構成される。制御部２１は、ＲＯＭ２５に記憶されている各種処理プログラムを読み出し、ＲＡＭ内に形成されたワークエリアに展開し、当該プログラムに従ってモダリティ２０の各部を統括的に制御する。
【００４３】
操作部２２は、各種設定キー、操作指示キー等を備え、キー操作により入力された指示信号（操作信号）を制御部２１に出力する。
【００４４】
表示部２３は、ＬＣＤ（Liquid Crystal Display）により構成され、制御部２１から入力される表示信号の指示に従って、操作部２２からの入力指示やデータ等を表示する。
【００４５】
通信部２４は、ＬＡＮ（Local Area Network）アダプタ、ルータ、ＴＡ（Terminal Adapter）等を備え、通信ネットワークＮを介して接続されたＲＩＳ１０、ＰＡＣＳ３０、所見レポート生成装置４０、配信サーバ５０等の外部機器との間でデータの送受信を行う。
【００４６】
ＲＯＭ２５は、不揮発性の半導体メモリ等により構成され、制御部２１で実行される各種処理プログラム、各種データ等を記憶する。これらの各種プログラムは、読み取り可能なプログラムコードの形態で格納され、制御部２１は、当該プログラムコードに従った動作を逐次実行する。尚、ＲＯＭ２５は、マスクＲＯＭ、ＰＲＯＭの何れの形態であっても良い。
【００４７】
記憶部２６は、ハードディスク等の記憶装置であり、医用画像データ等を記憶する。
【００４８】
撮影部２７は、撮影技師の操作部２２からの指示により、患者を撮影して医用画像の画像データを生成する。
【００４９】
制御部２１は、通信部２４を介してＲＩＳ１０から受信した検査オーダ情報に基づいて、撮影部２７により生成された画像データに関する付帯情報を生成する。そして、制御部２１は、当該画像データに付帯情報を付加して医用画像データを生成し、記憶部２６に記憶させる。そして、制御部２１は、記憶部２６から医用画像データを読み出して、ＰＡＣＳ３０に送信する。
【００５０】
[ＰＡＣＳの機能的構成]
図６に、ＰＡＣＳ３０の機能構成を示す。図６に示すように、ＰＡＣＳ３０は、制御部３１、操作部３２、表示部３３、通信部３４、ＲＯＭ３５、記憶部３６等を備えて構成され、各部はバス３７により接続されている。
【００５１】
制御部３１は、ＣＰＵ、ＲＡＭ等から構成される。制御部３１は、ＲＯＭ３５に記憶されている各種処理プログラムを読み出し、ＲＡＭ内に形成されたワークエリアに展開し、当該プログラムに従ってＰＡＣＳ３０の各部を統括的に制御する。
【００５２】
操作部３２は、カーソルキー、数字入力キー、及び各種機能キー等を備えたキーボードと、マウスなどのポインティングデバイスを備えて構成され、キーボードに対するキー操作やマウス操作により入力された指示信号（操作信号）を制御部３１に出力する。
【００５３】
表示部３３は、ＬＣＤ（Liquid Crystal Display）により構成され、制御部３１から入力される表示信号の指示に従って、操作部３２からの入力指示やデータ等を表示する。
【００５４】
通信部３４は、ＬＡＮ（Local Area Network）アダプタ、ルータ、ＴＡ（Terminal Adapter）等を備え、通信ネットワークＮを介して接続されたＲＩＳ１０、モダリティ２０、所見レポート生成装置４０、配信サーバ５０等の外部機器との間でデータの送受信を行う。
【００５５】
ＲＯＭ３５は、不揮発性の半導体メモリ等により構成され、制御部３１で実行される各種処理プログラム、各種データ等を記憶する。これらの各種プログラムは、読み取り可能なプログラムコードの形態で格納され、制御部３１は、当該プログラムコードに従った動作を逐次実行する。尚、ＲＯＭ３５は、マスクＲＯＭ、ＰＲＯＭの何れの形態であっても良い。
【００５６】
記憶部３６は、ハードディスク等の記憶装置であり、医用画像データ、数値レポート情報等を蓄積記憶する。また、記憶部３６は、自動計測種類テーブル３６１を記憶する。自動計測種類テーブル３６１についての詳細は後述する。
【００５７】
制御部３１は、通信部３４を介してモダリティ２０から受信した医用画像データを記憶部３６に記憶させる。
【００５８】
また、制御部３１は、モダリティ２０から受信した医用画像データに含まれる画像データに対して自動計測処理を行い、数値レポート実データを生成する。そして、制御部３１は、医用画像データに含まれる付帯情報等に基づいて、生成した数値レポート実データに関する付帯情報を生成する。
【００５９】
ここで、制御部３１は、数値レポート実データに関する付帯情報を生成する際、当該数値レポート実データに関する付帯情報と、自動計測処理を行った画像データを含む医用画像データの付帯情報とを関連付ける。
【００６０】
具体的に、付帯情報の関連付けは、それぞれの付帯情報に含まれる患者情報中の各種情報（患者の受付番号、氏名、患者ＩＤ等）の値及び検査情報中の各種情報（検査ＩＤ、検査手技、検査部位、撮影方向等）の値を同値とすることにより行われる。
【００６１】
または、付帯情報の関連付けは、医用画像データの付帯情報に画像ＵＩＤを持たせ、更に数値レポート実データに関する付帯情報にも同様の画像ＵＩＤを持たせて、これらの画像ＵＩＤを同値とすることにより行われるとしてもよい。
【００６２】
そして、制御部３１は、生成した付帯情報を数値レポート実データに付加して数値レポート情報を生成し、記憶部３６に記憶させる。
【００６３】
前記付帯情報の関連付けを行うことで、医用画像データと数値レポート情報とが関連付けられることになる。
【００６４】
尚、医用画像データと数値レポート情報との関連付けは、１対１、複数対複数、複数対１、１対複数のように、どのように関連付けてもよい。
【００６５】
例えば、ある患者に対する同一検査内で撮影された複数枚の医用画像に対して自動計測処理を行い、複数対１に医用画像データと数値レポート情報とを関連付ける。
【００６６】
また、ある患者に対する同一検査内で撮影された複数枚の医用画像に対して、複数の検査種類の自動計測処理を行い、複数対複数に医用画像データと数値レポート情報とを関連付けてもよい。
【００６７】
また、１枚の医用画像に対して自動計測処理を行い、１対１に医用画像データと数値レポート情報とを関連付けてもよい。
【００６８】
制御部３１は、通信部３４を介して所見レポート生成装置４０から読影用データ取得要求を受信すると、該当する医用画像データ、数値レポート情報を、通信部３４を介して所見レポート生成装置４０に送信する。
【００６９】
ここで、読影用データ取得要求には、患者ＩＤ、検査ＩＤが含まれる。制御部３１は、通信部３４を介して所見レポート生成装置４０から読影用データ取得要求を受信すると、当該読影用データ取得要求に含まれる患者ＩＤ、検査ＩＤを読み出す。そして、制御部３１は、当該読み出した患者ＩＤ及び検査ＩＤと同じ値を持つ医用画像データを、記憶部３６において検索する。また、同様に、当該読み出した患者ＩＤ及び検査ＩＤと同じ値を持つ数値レポート情報を検索する。検索の結果、該当する医用画像データがあった場合、当該医用画像データを記憶部３６から読み出し、通信部３４を介して所見レポート生成装置４０に送信する。同様に、検索の結果、該当する数値レポート情報があった場合、当該数値レポート情報を読み出し、通信部３４を介して所見レポート生成装置４０に送信する。
【００７０】
また、制御部３１は、通信部３４を介して所見レポート生成装置４０から過去数値レポート取得要求を受信すると、該当する数値レポート情報を、通信部３４を介して所見レポート生成装置４０に送信する。
【００７１】
ここで、過去数値レポート取得要求には、患者ＩＤ、検査ＩＤが含まれる。制御部３１は、通信部３４を介して所見レポート生成装置４０から過去数値レポート取得要求を受信すると、当該過去数値レポート取得要求に含まれる患者ＩＤ、検査ＩＤを読み出す。そして、制御部３１は、当該読み出した患者ＩＤ及び検査ＩＤと同じ値を持つ数値レポート情報を、記憶部３６において検索する。検索の結果、該当する数値レポート情報があった場合、当該数値レポート情報を記憶部３６から読み出し、通信部３４を介して所見レポート生成装置４０に送信する。
【００７２】
また、過去数値レポート取得要求に該当する数値レポート情報がない場合、制御部３１は、過去数値レポート取得要求に含まれる患者ＩＤ、検査ＩＤの医用画像データがあるか、記憶部３６を検索する。検索の結果、該当する医用画像データがある場合、制御部３１は、当該医用画像データに含まれる画像データに対して自動計測処理を行い、数値レポート実データを生成する。そして、制御部３１は、付帯情報を付加して数値レポート情報を生成し記憶部３６に保存する。そして、制御部３１は、記憶部３６から当該数値レポート情報を読み出し、通信部３４を介して所見レポート生成装置４０に送信する。
【００７３】
[自動計測処理]
ここで、制御部３１が行う自動計測処理について説明する。自動計測処理とは、画像データを幾何学的に計測する処理である。例えば、自動計測処理の種類として、心胸比自動計測処理、コブ角度自動計測処理、内臓脂肪自動計測処理等がある。
【００７４】
心胸比自動計測処理とは、パターンマッチングやエッジ探索等を用いて医用画像の各部を識別し、自動で胸郭と心臓の各幅を計測して、心胸比（心胸比＝心臓幅／胸郭幅×１００）を算出する処理である。心胸比は通常５０％以下であるが、５０％を超えると心肥大と診断される。
【００７５】
コブ角度自動計測処理とは、パターンマッチングやエッジ探索等を用いて、医用画像の各部を識別し、脊椎において最も強く側弯を示している部位の上下端にある終椎（傾斜角の最も大きな椎体）の上位終椎の上面と下位終椎の下面のなす角、すなわち、コブ角度を自動で計測する処理である。一般的にコブ角度が２５度を超えると要治療と診断される。
【００７６】
内臓脂肪面積自動計測処理とは、パターンマッチングやエッジ探索等を用いて、医用画像の各部や脂肪箇所を識別し、内臓脂肪の面積を計測する処理である。
【００７７】
制御部３１は、自動計測処理対象となる医用画像データの付帯情報を解析する。具体的に、付帯情報に含まれる検査情報の「手技」、「検査部位」、「撮影方向」、「体位」、付帯情報に含まれるシリーズ情報の「モダリティ種別」を読み出し、自動計測種類テーブル３６１を参照し、自動計測処理の種類（自動計測を行う検査の種類）を決定する。
【００７８】
ここで、図７に自動計測種類テーブル３６１のデータ構成を示す。図７に示すように、自動計測種類テーブル３６１は、「モダリティ種別」、「手技」、「検査部位」、「体位」、「撮影方向」、「自動計測処理」の項目から成る。「モダリティ種別」は、医用画像データの付帯情報に含まれるシリーズ情報の「モダリティ種別」に対応する項目である。また、「手技」、「検査部位」、「体位」、「撮影方向」は、それぞれ、医用画像データの付帯情報に含まれる検査情報の「手技」、「検査部位」、「体位」、「撮影方向」に対応する項目である。また、「自動計測処理」は、自動計測処理の種類を示す項目である。
【００７９】
例えば、自動計測種類テーブル３６１が図７のような値であり、制御部３１が医用画像データの付帯情報から読み出した「モダリティ種別」、「手技」、「検査部位」、「体位」、「撮影方向」の値がそれぞれ、「ＣＲ」、「単純」、「胸部」、「立位」、「正面」である場合、制御部３１は、自動計測処理として「心胸比自動計測処理」を選択する。
【００８０】
図８に、数値レポート情報に含まれる数値レポート実データのデータ構成を示す。数値レポート実データは、「作成日」、「作成者」、「タイトル」、「見出し」、「値」の項目から成る。「作成日」は、数値レポート実データが生成された日にちを示す項目である。また、「作成者」は、数値レポート実データを生成した装置名を示す項目である。「タイトル」は、自動計測処理により生成された検査数値レポートの種類を示す項目であり、自動計測処理の種類に１対１に対応している。具体的に、心胸比自動計測処理、コブ角度自動計測処理、内臓脂肪面積自動計測処理に対応するタイトルは、それぞれ「心胸比計測レポート」、「コブ角度計測レポート」、「内臓脂肪面積計測レポート」となる。また、「見出し」は、自動計測処理により計測された検査数値の名称を示す項目である。また、「値」は、自動計測処理に計測された検査数値を示す項目である。
【００８１】
例えば、数値レポート実データの項目「作成日」、「作成者」、「タイトル」、「見出し」、「値」の値は、それぞれ「２００７／７／７」、「ＣＳ―Ｘ」、「心胸比計測レポート」、「心胸比値」、「４５％」となる。
【００８２】
[所見レポート生成装置の機能的構成]
図９に、所見レポート生成装置４０の機能構成を示す。図９に示すように、所見レポート生成装置４０は、制御部４１、操作部４２、表示部４３、通信部４４、ＲＯＭ４５、記憶部４６等を備えて構成され、各部はバス４７により接続されている。
【００８３】
制御部４１は、ＣＰＵ、ＲＡＭ等から構成される。制御部４１は、ＲＯＭ４５に記憶されている各種処理プログラムを読み出し、ＲＡＭ内に形成されたワークエリアに展開し、当該プログラムに従って所見レポート生成装置４０の各部を統括的に制御する。
【００８４】
操作部４２は、カーソルキー、数字入力キー、及び各種機能キー等を備えたキーボードと、マウスなどのポインティングデバイスを備えて構成され、キーボードに対するキー操作やマウス操作により入力された指示信号（操作信号）を制御部４１に出力する。
【００８５】
表示部４３は、ＬＣＤ等の高精細モニタにより構成され、制御部４１から入力される表示データに基づいて各種画面を表示する。特に、表示部４３は、読影医が所見レポートの生成を行う際に医用画像や所見レポートの雛形等を表示する。
【００８６】
通信部４４は、ＬＡＮ（Local Area Network）アダプタ、ルータ、ＴＡ（Terminal Adapter）等を備え、通信ネットワークＮを介して接続されたＲＩＳ１０、モダリティ２０、ＰＡＣＳ３０、配信サーバ５０等の外部機器との間でデータの送受信を行う。
【００８７】
ＲＯＭ４５は、不揮発性の半導体メモリ等により構成され、制御部４１で実行される各種処理プログラム、各種データ等を記憶する。これらの各種プログラムは、読み取り可能なプログラムコードの形態で格納され、制御部４１は、当該プログラムコードに従った動作を逐次実行する。尚、ＲＯＭ４５は、マスクＲＯＭ、ＰＲＯＭの何れの形態であっても良い。
【００８８】
記憶部４６は、ハードディスク等の記憶装置であり、所見レポート情報等の各種データを記憶する。また、記憶部４６は、所見レポート生成テーブル４６１を記憶している。所見レポート生成テーブル４６１とは、所見レポート自動生成処理を行うか否かの判定、及び所見レポート自動生成処理に用いられるテーブルである。所見レポート生成テーブル４６１についての詳細は後述する。
【００８９】
制御部４１は、ＰＡＣＳ３０から受信した数値レポート情報、所見レポート生成テーブル４６１に基づいて、所見レポート実データを生成する（所見レポート自動生成処理）。そして、制御部４１は、数値レポート情報に含まれる付帯情報等に基づいて、生成した所見レポート実データに関する付帯情報を生成する。
【００９０】
ここで、制御部４１は、所見レポート実データに関する付帯情報を生成する際、当該所見レポート実データに関する付帯情報と、ＰＡＣＳ３０から受信した前記数値レポート情報の付帯情報とを関連付ける。
【００９１】
具体的に、付帯情報の関連付けは、数値レポート情報の付帯情報に含まれる患者ＩＤ、検査ＩＤと、所見レポート実データに関する付帯情報に含まれる患者ＩＤ、検査ＩＤとを同じ値とすることにより行われる。
【００９２】
または、付帯情報の関連付けは、数値レポート情報の付帯情報に数値レポートＵＩＤを持たせ、更に所見レポート実データに関する付帯情報にも同様の数値レポートＵＩＤを持たせて、これらの数値レポートＵＩＤを同値とすることにより行われるとしてもよい。
【００９３】
そして、制御部４１は、当該所見レポート実データに付帯情報を付加して所見レポート情報を生成し、記憶部４６に記憶させる。
【００９４】
前記付帯情報の関連付けを行うことで、数値レポート情報と所見レポート情報とが関連付けられることになる。
【００９５】
尚、数値レポート情報と所見レポート情報との関連付けは、１対１、複数対複数、複数対１、１対複数のように、どのように関連付けてもよい。
【００９６】
例えば、検査数値レポート及び当該検査数値レポートに関する過去の検査数値レポートと、これらの検査数値レポートに対する所見レポートとが関連付けられる。この場合、数値レポート情報と所見レポート情報とは、２対１に関連付けられることになる。
【００９７】
ここで、数値レポート情報と所見レポート情報を２対１に関連付ける場合の付帯情報の値の具体例を示す。前記検査数値レポートに対応する数値レポート情報の患者ＩＤを「１」、検査ＩＤを「２０１」とする。また、前記過去の検査数値レポートに対応する数値レポート情報の患者ＩＤを「１」、検査ＩＤを「１０５」とする。この場合、所見レポート情報の患者ＩＤは「１」であり、検査ＩＤは「１０５」、「２０１」の２値となる。
【００９８】
制御部４１は、操作部４２からの操作信号に基づき、所見レポート情報に含まれる所見レポート実データを更新する。
【００９９】
制御部４１は、生成した所見レポート情報、ＰＡＣＳ３０から受信した医用画像データ、数値レポート情報を、それぞれ独立したデータで配信サーバ５０に送信する。
【０１００】
[所見レポート生成テーブル]
図１０に所見レポート生成テーブル４６１のデータ構成を示す。図１０に示すように、所見レポート生成テーブル４６１は、「見出し」、「値」、「過去レポート比較」、「比較結果」、「所見レポート雛形」の項目から成る。「見出し」は、数値レポート情報に含まれる数値レポート実データの「見出し」に対応する項目であり、ＰＡＣＳ３０において実行される自動計測処理により計測される検査数値の名称を示す。また、「値」は、自動計測処理により計測される検査数値の該当する範囲を示す項目である。また、「過去レポート比較」は、過去の数値レポート情報との比較を必要とするか否かを示す項目である。また、「比較結果」は、過去の数値レポート情報との比較結果を示す項目であり、「良化」、「悪化」の値をとる。また、「所見レポート雛形」は、所見レポート生成画面４３１（図１１参照、詳細は後述。）に表示される所見レポートの雛形を示す項目であり、文字列のデータとなっている。
【０１０１】
尚、所見レポート生成テーブル４６１のレコードの追加、各項目の値の変更は、操作部４２におけるユーザ操作等により適宜変更可能である。
【０１０２】
[読影用データ取得要求]
制御部４１は、読影医による操作部４２からの読影画面を表示させる旨の指示信号が入力されると、指示信号に基づいた患者ＩＤ、検査ＩＤを含む読影用データ取得要求を生成し、当該生成した読影用データ取得要求を通信部４４を介してＰＡＣＳ３０に送信する。
【０１０３】
そして、制御部４１は、ＰＡＣＳ３０から該当する医用画像データと数値レポート情報を受信する。ここで、当該受信した医用画像データが読影対象のデータとなり、当該受信した数値レポート情報が読影対象の医用画像に対応するデータとなる。以下、当該医用画像データを読影対象医用画像データ、当該数値レポート情報を読影対象数値レポート情報と称す。
【０１０４】
[過去数値レポート取得要求]
また、制御部４１は、読影医による操作部４２からの所見レポートを生成する旨の指示信号が入力されると、過去数値レポート取得要求を生成する。当該過去数値レポート取得要求に含まれる患者ＩＤは、読影用データ取得要求に含まれる患者ＩＤと同じ値となる。また、当該過去数値レポート取得要求に含まれる検査ＩＤは、読影用データ取得要求に含まれる検査ＩＤの検査に対する過去検査に該当するＩＤとなる。
【０１０５】
そして、制御部４１は、生成した過去数値レポート取得要求を通信部４４を介してＰＡＣＳ３０に送信する。そして、制御部４１は、ＰＡＣＳ３０から該当する過去の数値レポート情報を受信する。
【０１０６】
[所見レポート自動生成処理等]
そして、制御部４１は、読影対象数値レポート情報に含まれる、数値レポート実データの項目「見出し」と「値」との値を読み出す。そして、制御部４１は、所見レポート生成テーブル４６１を参照し、所見レポート実データを自動生成するか否かの判定を行う。更に、読影対象数値レポート情報を、過去の数値レポート情報と比較するか否かの判定も行う。
【０１０７】
具体的に、制御部４１は、読影対象数値レポート情報に含まれる数値レポート実データの項目「見出し」と「値」との各々が、所見レポート生成テーブル４６１の項目「見出し」と「値」との各々に一致するレコードを検索する。
【０１０８】
そして、一致するレコードの項目「過去レポート比較」が「なし」の場合、制御部４１は、読影対象数値レポート情報と過去の数値レポート情報との比較を行わず、所見レポート自動生成処理を行うと判定する。そして、制御部４１は、所見レポート自動生成処理を行う。具体的に、制御部４１は、項目「所見レポート雛形」の文字列を所見レポート実データとする。そして、前述の通り、当該所見レポート実データに付帯情報を付加して所見レポート情報を自動生成する。
【０１０９】
これは、過去の検査数値レポートと比較する必要がない程、読影対象の医用画像に関する検査数値レポートが異常値となっている場合等に行われる処理である。例えば、図１０では、心胸比値が７０％以上の場合、当該心胸比値は、過去の検査数値レポートと比較する必要がない程の異常値であるため、比較を行わずに所見レポート自動生成処理が行われる。同様に、内臓脂肪面積が１００平方センチメートル以上の場合、当該内臓脂肪面積は、過去の検査数値レポートと比較する必要がない程の異常値であるため、比較を行わずに所見レポート自動生成処理が行われる。
【０１１０】
一方、一致するレコードの項目「過去レポート比較」が「あり」の場合、制御部４１は、読影対象数値レポート情報と過去の数値レポート情報との比較を行う。具体的に、制御部４１は、過去の数値レポート情報に含まれる数値レポート実データの項目「見出し」及び「値」を読み出し、読影対象数値レポート情報に含まれる数値レポート実データの項目「見出し」及び「値」とそれぞれ比較する。
【０１１１】
比較の結果、心胸比値が４５％から５５％に悪化した場合等は、所見レポート自動生成処理を行うと判定する。そして、制御部４１は、所見レポート自動生成処理を行う。具体的に、制御部４１は、所見レポート生成テーブル４６１において、読影対象数値レポート情報に含まれる数値レポート実データの項目「見出し」と「値」と一致し、且つ「過去レポート比較」が「あり」であって、更に、「比較結果」が「悪化」となっているレコードを検索し、該当するレコードの項目「所見レポート雛形」の文字列を所見レポート実データとする。そして、前述の通り、当該所見レポート実データに付帯情報を付加して所見レポートを生成する。
【０１１２】
比較の結果、心胸比値が５５％から４０％に良化した場合等も、所見レポート自動生成処理を行うと判定する。そして、制御部４１は、所見レポート自動生成処理を行う。具体的に、制御部４１は、所見レポート生成テーブル４６１において、読影対象数値レポート情報に含まれる数値レポート実データの項目「見出し」と「値」と一致し、且つ「過去レポート比較」が「あり」であって、更に、「比較結果」が「良化」となっているレコードを検索し、該当するレコードの項目「所見レポート雛形」の文字列を所見レポート実データとする。そして、前述の通り、当該所見レポート実データに付帯情報を付加して所見レポートを生成する。
【０１１３】
比較の結果、心胸比値が４５％から４５％と変化しなかった場合等は、所見レポート自動生成処理を行わない。
【０１１４】
ここで、読影対象数値レポート情報と、過去の数値レポート情報との比較において、良化、悪化、若しくはどちらにも該当しない等の判定は、「検査数値が予め定められた量の変化があったか否か」等の各種条件に基づいて行われる。例えば、「心胸比値が１０％以上上昇した場合、悪化と判定する」と条件を定めると、心胸比値が４５％から５５％に上昇した場合は「悪化」と判定される。これらの各種条件は、ユーザ設定により変更可能である。
【０１１５】
[画面例]
図１１に、所見レポート生成画面４３１の画面例を示す。図１１に示すように、所見レポート生成画面４３１には、医用画像と、医用画像に関する患者情報、検査情報等が表示される。また、所見レポートを生成するボックスＤ１が表示される。ここで、表示されている医用画像の医用画像データに関連する数値レポート情報に関連する所見レポート情報がある場合、当該所見レポート情報に含まれる所見レポート実データの文字列が、ボックスＤ１に表示される。読影医は、医用画像を閲覧し、ボックスＤ１に、所見レポートを追記する。一方、関連する所見レポート情報がない場合、ボックスＤ１には、何も表示されず、読影医は、所見レポートを一から作成する。
【０１１６】
[医用画像システムの動作]
次に、医用画像システム１００における動作を説明する。図１２は、モダリティ２０及びＰＡＣＳ３０において実行される処理を示すラダーチャートである。
【０１１７】
図１２に示すように、モダリティ２０は、患者を撮影し（ステップＳ１）、医用画像データを生成する（ステップＳ２）。そして、モダリティ２０は、ステップＳ２において生成した医用画像データをＰＡＣＳ３０に送信する（ステップＳ３）。ＰＡＣＳ３０は、モダリティ２０から送信された医用画像データを保存する（ステップＳ４）。
【０１１８】
ＰＡＣＳ３０は、保存した医用画像データに含まれる画像データに対して自動計測処理を行い（ステップＳ５）、数値レポート情報を生成する（ステップＳ６）。この際、医用画像データと数値レポート情報とを付帯情報に基づいて関連付ける。そして生成した数値レポート情報を保存する（ステップＳ７）。
【０１１９】
図１３は、過去数値レポート取得要求に対応する過去の数値レポート情報がＰＡＣＳ３０に保存されている場合に、ＰＡＣＳ３０及び所見レポート生成装置４０において実行される処理を示すラダーチャートである。
【０１２０】
図１３に示すように、所見レポート生成装置４０は、読影医によるユーザ操作等に基づき、読影用データ取得要求をＰＡＣＳ３０に送信する（ステップＳ１０１）。ＰＡＣＳ３０は、当該読影用データ取得要求を受信すると、該当する医用画像データを所見レポート生成装置４０に送信する（ステップＳ１０２）。また、該当する数値レポート情報を所見レポート生成装置４０に送信する（ステップＳ１０３）。
【０１２１】
そして、所見レポート生成装置４０は、読影医による所見レポートを生成する旨のユーザ操作に基づき、過去数値レポート取得要求をＰＡＣＳ３０に送信する（ステップＳ１０４）。ＰＡＣＳ３０は、当該過去数値レポート取得要求を受信すると、ステップＳ１０３において送信した医用画像データに関する過去の数値レポート情報を所見レポート生成装置４０に送信する（ステップＳ１０５）。
【０１２２】
そして、所見レポート生成装置４０は、数値レポート情報、所見レポート生成テーブル４６１を参照して、所見レポート自動生成処理を行うか判定する（ステップＳ１０６）。ステップＳ１０６において、所見レポート自動生成処理を行うと判定した場合（ステップＳ１０６；Ｙｅｓ）、所見レポート生成装置４０は、所見レポート自動生成処理を行い、所見レポートの雛形となる所見レポート情報を生成する（ステップＳ１０７）。そして、読影医によるユーザ操作に基づき、当該所見レポート情報に含まれる所見レポート実データを更新し所見レポートを完成させる（ステップＳ１０８）。
【０１２３】
そして、読影医によるユーザ操作に基づき、当該所見レポート情報を配信サーバ５０に送信する（ステップＳ１０９）。
【０１２４】
また、ステップＳ１０６において、所見レポート自動生成処理を行わないと判定した場合（ステップＳ１０６；Ｎｏ）、所見レポート情報は生成されず、読影医は、所見レポートを一から作成する。
【０１２５】
図１４は、過去数値レポート取得要求に対応する過去の数値レポート情報がＰＡＣＳ３０に保存されておらず、且つ対応する過去の医用画像データが保存されている場合に、ＰＡＣＳ３０及び所見レポート生成装置４０において実行される処理を示すラダーチャートである。
【０１２６】
例えば、読影対象の医用画像を生成した検査に対する過去の検査で生成された医用画像がＰＡＣＳ３０に保存されたとき、ＰＡＣＳ３０に自動計測処理（図１２のステップＳ５）の機能が実装されておらず、数値レポート情報がＰＡＣＳ３０に保存されていない場合等が考えられる。
【０１２７】
図１４に示すように、所見レポート生成装置４０は、読影医によるユーザ操作等に基づき、読影用データ取得要求をＰＡＣＳ３０に送信する（ステップＳ２０１）。ＰＡＣＳ３０は、当該読影用データ取得要求を受信すると、該当する医用画像データを所見レポート生成装置４０に送信する（ステップＳ２０２）。また、該当する数値レポート情報を所見レポート生成装置４０に送信する（ステップＳ２０３）。
【０１２８】
そして、所見レポート生成装置４０は、読影医による所見レポートを生成する旨のユーザ操作に基づき、過去数値レポート取得要求をＰＡＣＳ３０に送信する（ステップＳ２０４）。
【０１２９】
ＰＡＣＳ３０は、当該過去数値レポート取得要求を受信すると、過去数値レポート取得要求に対応する過去の数値レポート情報がなく、且つ対応する過去の医用画像データがあると判定する（ステップＳ２０５）。
【０１３０】
そして、ＰＡＣＳ３０は、対応する過去の医用画像データに含まれる画像データに対して自動計測処理を行い（ステップＳ２０６）、過去数値レポート取得要求に対応する過去の数値レポート情報を生成する（ステップＳ２０７）。そして生成した過去の数値レポート情報を保存する（ステップＳ２０８）。
【０１３１】
そして、ＰＡＣＳ３０は、ステップＳ２０８において保存した過去の数値レポート情報を所見レポート生成装置４０に送信する（ステップＳ２０９）。
【０１３２】
そして、所見レポート生成装置４０は、数値レポート情報、所見レポート生成テーブル４６１を参照して、所見レポート自動生成処理を行うか判定する（ステップＳ２１０）。ステップＳ２１０において、所見レポート自動生成処理を行うと判定した場合（ステップＳ２１０；Ｙｅｓ）、所見レポート生成装置４０は、所見レポート自動生成処理を行い、所見レポートの雛形となる所見レポート情報を生成する（ステップＳ２１１）。そして、読影医によるユーザ操作に基づき、当該所見レポート情報に含まれる所見レポート実データを更新し所見レポートを完成させる（ステップＳ２１２）。
【０１３３】
そして、読影医によるユーザ操作に基づき、当該所見レポート情報を配信サーバ５０に送信する（ステップＳ２１３）。
【０１３４】
また、ステップＳ２１０において、所見レポート自動生成処理を行わないと判定した場合（ステップＳ２１０；Ｎｏ）、所見レポート情報は生成されず、読影医は、所見レポートを一から作成する。
【０１３５】
以上、本実施の形態によると、読影医による読影目的にかかわらず、ＰＡＣＳ３０は、医用画像データに含まれる画像データに対して自動計測処理を行って数値レポート情報を生成し、当該医用画像データと数値レポート情報とを関連付ける。そして、ＰＡＣＳ３０は当該医用画像データと数値レポート情報とを独立したデータとして所見レポート生成装置４０に送信する。
【０１３６】
所見レポート生成装置４０は、ＰＡＣＳ３０から受信した数値レポート情報に含まれる数値レポート実データに対して所見レポート自動生成処理を行って所見レポート情報を生成し、当該数値レポート情報と所見レポート情報とを関連付ける。
【０１３７】
そして、所見レポート生成装置４０は、当該所見レポート情報とＰＡＣＳ３０から受信した医用画像データとに基づき、表示部４３に、医用画像と当該医用画像に関する所見レポートを表示する。そして、所見レポート生成装置４０は、ユーザ操作による操作部４２からの操作信号に基づき所見レポート情報を更新する。そして、所見レポート生成装置４０は、当該所見レポート情報を、前記数値レポート情報と独立したデータで配信サーバ５０に送信する。
【０１３８】
そのため、読影医が特定の検査目的の読影を行って所見レポートを作成する場合に、前記検査目的外の疾患を見落とすことを防ぐことができる。具体的には、ＣＲ装置で撮影された胸部の医用画像を、心不全の予防のための心胸比の検査の目的以外で読影を行って所見レポートを生成する場合でも、読影医は、所見レポート生成装置４０が自動生成した所見レポート情報に基づく所見レポートを参照して、心胸比の異常を見落とすことを防ぐことができる。
【０１３９】
また、所見レポート生成装置４０は、医用画像データ及び数値レポート情報と、別データとして所見レポート情報を生成するため、医用画像とは別に所見レポートを表示する。よって、読影目的外の所見レポートが医用画像上に表示されることがない。そのため、読影医による医用画像の読影の妨げにならない。
【０１４０】
また、医用画像データと数値レポート情報とが関連付けられており、更に数値レポート情報と所見レポート情報とが関連付けられているため、所見レポートに記載されている内容に対する検査数値の情報、医用画像を容易に特定できる。そのため、所見レポートに記載されている内容の科学的根拠を容易に立証することができる。
【図面の簡単な説明】
【０１４１】
【図１】本発明の一実施形態における医用画像システムのシステム構成図である。
【図２】医用画像データオブジェクトのデータ構成図である。
【図３】数値レポート情報オブジェクトのデータ構成図である。
【図４】所見レポート情報オブジェクトのデータ構成図である。
【図５】モダリティのブロック図である。
【図６】ＰＡＣＳのブロック図である。
【図７】自動計測種類テーブルのデータ構成図である。
【図８】数値レポート実データのデータ構成図である。
【図９】所見レポート生成装置のブロック図である。
【図１０】所見レポート生成テーブルのデータ構成図である。
【図１１】所見レポート生成画面の画面例である。
【図１２】モダリティ及びＰＡＣＳにおいて実行される処理を示すラダーチャートである。
【図１３】ＰＡＣＳ及び所見レポート生成装置において実行される処理を示すラダーチャートである。
【図１４】ＰＡＣＳ及び所見レポート生成端末において実行される処理を示すラダーチャートである。
【符号の説明】
【０１４２】
１０      ＲＩＳ
２０      モダリティ
２１      制御部
２２      操作部
２３      表示部
２４      通信部
２５      ＲＯＭ
２６      記憶部
２７      撮影部
２８      バス
３０      ＰＡＣＳ
３１      制御部
３２      操作部
３３      表示部
３４      通信部
３５      ＲＯＭ
３６      記憶部
３７      バス
４０      所見レポート生成装置
４１      制御部
４２      操作部
４３      表示部
４４      通信部
４５      ＲＯＭ
４６      記憶部
４７      バス
５０      配信サーバ
１００    医用画像システム
３６１    自動計測種類テーブル
４３１    所見レポート生成画面
４６１    所見レポート生成テーブル
Ｎ        通信ネットワーク
【図１】
2009066060.tif 000003
【図２】
2009066060.tif 000004
【図３】
2009066060.tif 000005
【図４】
2009066060.tif 000006
【図５】
2009066060.tif 000007
【図６】
2009066060.tif 000008
【図７】
2009066060.tif 000009
【図８】
2009066060.tif 000010
【図９】
2009066060.tif 000011
【図１０】
2009066060.tif 000012
【図１１】
2009066060.tif 000013
【図１２】
2009066060.tif 000014
【図１３】
2009066060.tif 000015
【図１４】
2009066060.tif 000016